(57)【要約】【課題】  複雑なライセンスや複数のコンテンツのライセンス関係をタイムラインとして直感的かつ確実に把握するコンテンツ再生装置が提供される。【解決手段】  本発明は，コンテンツの再生を許諾するライセンスに基づいて，コンテンツを再生するコンテンツ再生装置を提供し，かかるコンテンツ再生装置は，上記コンテンツおよびライセンスを記憶するコンテンツ記憶部１１２と，上記ライセンスに上記コンテンツの再生可能期間が設けられている場合，所定期間における上記コンテンツ毎の再生可能期間がタイムラインで表される再生スケジュールを表示する再生スケジュール表示部１１４と，ユーザの要求に応じて，上記再生可能期間内でのみ上記コンテンツを再生するコンテンツ再生部１１６と，上記再生スケジュールまたは上記コンテンツを表示するコンテンツ表示部１１８とを備える。【選択図】    図２
2006261904.tif 000002
【特許請求の範囲】
【請求項１】
コンテンツの再生を許諾するライセンスに基づいて，コンテンツを再生するコンテンツ再生装置であって：
前記コンテンツおよびライセンスを記憶するコンテンツ記憶部と；
前記ライセンスに前記コンテンツの再生可能期間が設けられている場合，所定期間における前記コンテンツ毎の再生可能期間がタイムラインで表される再生スケジュールを表示する再生スケジュール表示部と；
ユーザの要求に応じて，前記再生可能期間内でのみ前記コンテンツを再生するコンテンツ再生部と；
前記再生スケジュールまたは前記コンテンツを表示するコンテンツ表示部と；
を備えることを特徴とする，コンテンツ再生装置。
【請求項２】
前記再生スケジュールには，ユーザの操作に応じて前記タイムライン上を移動自在なアイコンが設けられ，該アイコンが位置する時点におけるコンテンツの再生可否がアイコンの活性非活性によって判断可能であることを特徴とする，請求項１に記載のコンテンツ再生装置。
【請求項３】
利用するコンテンツに複数のライセンスが付されている場合，前記ライセンス毎の再生可能期間の論理和を計算して，該コンテンツの再生可能期間とする論理計算部をさらに備えることを特徴とする，請求項１に記載のコンテンツ再生装置。
【請求項４】
前記論理計算部は，さらに，利用するコンテンツが複数のライセンスを必要とする場合，前記ライセンス毎の再生可能期間の論理積を計算して，該コンテンツの再生可能期間とすることを特徴とする，請求項３に記載のコンテンツ再生装置。
【請求項５】
前記ライセンスの許可範囲の変動に対応して再生可能期間の表示を更新させる表示更新部をさらに備えることを特徴とする，請求項１に記載のコンテンツ再生装置。
【請求項６】
前記再生スケジュール表示部は，さらに延長可能な再生可能期間を別態様で表示することを特徴とする，請求項１に記載のコンテンツ再生装置。
【請求項７】
前記再生可能期間は，開始時刻と終了時刻とで定まる絶対時間によって設定されることを特徴とする，請求項１に記載のコンテンツ再生装置。
【請求項８】
前記再生可能期間は，再生時間の合計で定まる相対時間によって設定されることを特徴とする，請求項１に記載のコンテンツ再生装置。
【請求項９】
前記再生スケジュール表示部は，現時点での再生時間の合計も表示することを特徴とする，請求項８に記載のコンテンツ再生装置。
【請求項１０】
コンテンツの再生を許諾するライセンスに基づいて，コンテンツを再生するプログラムであって：
コンピュータが，
前記コンテンツおよびライセンスを記憶するコンテンツ記憶部と；
前記ライセンスに前記コンテンツの再生可能期間が設けられている場合，所定期間における前記コンテンツ毎の再生可能期間がタイムラインで表される再生スケジュールを表示する再生スケジュール表示部と；
ユーザの要求に応じて，前記再生可能期間内でのみ前記コンテンツを再生するコンテンツ再生部と；
前記再生スケジュールまたは前記コンテンツを表示するコンテンツ表示部と；
して機能することを特徴とする，プログラム。
【請求項１１】
コンテンツの再生を許諾するライセンスに基づいて，コンテンツを再生するコンテンツ再生方法であって：
コンピュータが，
前記ライセンスに前記コンテンツの再生可能期間が設けられている場合，所定期間における前記コンテンツ毎の再生可能期間がタイムラインで表される再生スケジュールを表示し；
ユーザの要求に応じて，前記再生可能期間内でのみ前記コンテンツを再生する；
ことを特徴とする，コンテンツ再生方法。
【発明の詳細な説明】
【技術分野】
【０００１】
本発明は，コンテンツの再生にかかり，特に，コンテンツの再生可能期間を視覚的に確認できるコンテンツ再生装置，コンテンツ再生方法，およびプログラムに関する。
【背景技術】
【０００２】
近日では，映像や音楽といったコンテンツをインターネット等の通信網を介して簡単にダウンロードできる。かかるコンテンツには著作権保護の観点から，コンテンツの再生を許諾するライセンスが付される場合がある。ユーザは，視聴を希望するコンテンツをダウンロードすると共に，そのコンテンツの提供を行うサービス事業者からライセンスを取得し，そのライセンスに基づいて上記コンテンツを視聴する。
【０００３】
上記ライセンスには，ユーザ，再生機器，再生可能期間，記録保持期間といった制限が設けられ，ユーザは，その制限内でのみコンテンツを利用できる。しかし，通常，コンテンツの再生可能期間は，そのライセンスに記述された時間表記（文字列）で表され，残りどの程度の期間再生が可能なのか容易に把握することができなかった。
【０００４】
コンテンツの再生可能期間や記録保持期間をユーザが把握することができないと，その期間がユーザの知らないうちに過ぎてしまい，改めてコンテンツを視聴しようとしても動作しないといった問題が生じる。さらに，ユーザは，コンテンツが再生できないのは，機器の不良によるものと誤解してしまい，その確認作業が必要になるなど，不利益を被る。
【０００５】
かかる問題は，ライセンスにより再生可能期間が制限されたコンテンツに対して，その制限された期間や仕組みを表示する技術（例えば，特許文献１）により解決できる。しかし，上記の技術は，再生可能期間に至るまでの残り時間やその期限が消滅した後の経過時間を知ることができるのみで，複数のコンテンツの特定時点におけるライセンスの関係や複雑なライセンス関係にあるコンテンツの再生可能期間の表示はできなかった。
【０００６】
【特許文献１】特開２００２−３２５２２４号公報
【発明の開示】
【発明が解決しようとする課題】
【０００７】
本発明は，従来のコンテンツのライセンス表示が有する上記問題点に鑑みてなされたものであり，本発明の目的は，複雑なライセンスや複数のコンテンツのライセンス関係をタイムラインとして直感的かつ確実に把握することが可能な，新規かつ改良されたコンテンツ再生装置，コンテンツ再生方法，およびプログラムを提供することである。
【課題を解決するための手段】
【０００８】
上記課題を解決するために，本発明のある観点によれば，コンテンツの再生を許諾するライセンスに基づいて，コンテンツを再生するコンテンツ再生装置であって：上記コンテンツおよびライセンスを記憶するコンテンツ記憶部と；上記ライセンスに上記コンテンツの再生可能期間が設けられている場合，所定期間における上記コンテンツ毎の再生可能期間がタイムラインで表される再生スケジュールを表示する再生スケジュール表示部と；ユーザの要求に応じて，上記再生可能期間内でのみ上記コンテンツを再生するコンテンツ再生部と；上記再生スケジュールまたは上記コンテンツを表示するコンテンツ表示部と；を備えることを特徴とする，コンテンツ再生装置が提供される。上記コンテンツ再生装置は，サーバ，パーソナルコンピュータ，ＰＤＡ（Ｐｅｒｓｏｎａｌ  Ｄｉｇｉｔａｌ  Ａｓｓｉｓｔａｎｔ），携帯電話を含む。
【０００９】
かかる再生スケジュール表示部の構成により，コンテンツ毎の再生可能期間を所定期間中の時間量として直感的に把握することができる。また，複数のコンテンツを同時間軸で表示することによって，複数のコンテンツのライセンス関係を容易にとらえることが可能となる。また，上記再生スケジュールに再生可能期間以外の例えば，利用機器，チェックイン回数，チェックアウト回数等の他の条件を並置して表示するとしても良い。
【００１０】
上記再生スケジュールには，ユーザの操作に応じて上記タイムライン上を移動自在なアイコンが設けられ，該アイコンが位置する時点におけるコンテンツの再生可否がアイコンの活性非活性によって判断可能であるとしても良い。かかるアイコンの活性，非活性は例えば，アイコンの色によって活性は青，非活性は黒といった具合に表されても良い。
【００１１】
かかる構成により，具体的な特定の時点におけるライセンスの有無，即ちコンテンツ再生の可否を確認することができる。また，コンテンツが複数存在する場合に，特定の時点におけるライセンスの関係を直感的に把握することが可能となる。さらに，ユーザは，他のコンテンツの再生可能期間とを比較して，どのコンテンツから先に視聴すべきか等コンテンツの視聴順を計画することができる。
【００１２】
利用するコンテンツに複数のライセンスが付されている場合，上記ライセンス毎の再生可能期間の論理和を計算して，該コンテンツの再生可能期間とする論理計算部をさらに備えるとしても良い。
【００１３】
上記論理計算部は，１つのコンテンツに複数のライセンスが付されている場合でも，そのライセンスの再生可能期間の重複部分を考慮して，１つのライセンスにおける再生可能期間であるかのように表示することができる。かかる構成により，ユーザは，複数のライセンスの全てを確認しなくてはならないという煩わしい作業を行うことなく，容易に，そのコンテンツの再生可能期間を把握できる。
【００１４】
上記論理計算部は，さらに，利用するコンテンツが複数のライセンスを必要とする場合，即ち，複数のライセンスの再生利用期間が重複した期間のみコンテンツの利用が許される場合，上記ライセンス毎の再生可能期間の論理積を計算して，該コンテンツの再生可能期間とすることができる。
【００１５】
かかる構成により，複数のライセンスが重複するときにのみ再生可能なコンテンツに関する実質的な再生可能期間を視覚的に把握することができる。また，上記論理和と論理積の複合したライセンスの表示も可能となる。
【００１６】
上記ライセンスの許可範囲の変動に対応して再生可能期間の表示を更新させる表示更新部をさらに備えるとしても良い。
【００１７】
ホームネットワーク上のＤｉｇｉｔａｌ  Ｔｒａｎｓｍｉｓｓｉｏｎ  Ｃｏｎｔｅｎｔｓ  Ｐｒｏｔｅｃｔｉｏｎ（ＤＴＣＰ）機器間で著作権保護されたコンテンツを転送する場合，かかる機器間で，同一コンテンツの同時刻のデータを，所定時間（一定時間）を超えて重複して存在させることができない（同期モード）。従って，送信側では転送が終了した部分のコンテンツを再生できず，受信側は転送が終了した部分のコンテンツのみ再生が可能となる。かかる転送においては，コンテンツと共に，そのコンテンツに対応したライセンスも移動するので，移動中はライセンスの許可範囲も変化する。
【００１８】
かかる構成により，コンテンツの転送途中であっても，転送中のコンテンツの再生可能期間を視覚的に確認することができ，そのライセンスの変化に応じた操作，例えば，再生可能期間が所定時間を超えたら再生を開始するといった処理を行うことが可能となる。
【００１９】
上記再生スケジュール表示部は，さらに延長可能な再生可能期間を別態様で表示するとしても良い。上記別態様とは，再生可能期間のタイムラインの色，マーク，縁取り等と相違する態様で延長可能な再生可能期間を表示することである。
【００２０】
上記ライセンスは，例えば，コンテンツの一部のみ自由に再生させ，コンテンツの他の部分は料金を支払った場合のみ再生可能となるように形成することができる。この場合，コンテンツを取得した時点では，再生可能期間は一部のみである。その後に，ライセンスを取得するとその再生可能期間が延長される。その延長可能な再生可能期間を上述したように別態様で表し，延長可能な部分に関するライセンスが取得された時点で，全ての再生可能期間が同態様で表示される。即ち，再生可能な部分は緑，延長可能な部分は赤で示され，延長部分を利用できるライセンスを購入した後，全てが緑に変化する。
【００２１】
かかる構成により，ユーザは，取得したコンテンツのどの部分が再生可能であるか視覚的に把握することが可能となる。また，かかる表示により購買意欲も向上する。ここでは，１つのライセンスを購入することによって延長可能な全てのコンテンツが再生できるようになるとしても良いし，複数段階に分けられたライセンスの購入レベルに応じて，延長可能な再生可能期間が変化するとしても良い。
【００２２】
上記再生可能期間は，開始時刻と終了時刻とで定まる絶対時間によって設定されるとしても良いし，再生時間の合計で定まる相対時間によって設定されるとしても良い。
【００２３】
上記絶対時間は，世界標準時間を表し，例えば，１月１日午前０時から６月３０日午後１２時といった絶対的な時間を示す。また，相対時間は，コンテンツを再生可能な総合的な時間を示す。従って，当該コンテンツ再生装置に設けられたカウンタにより計数された値が，ライセンスによる設定値を超すまで，コンテンツを再生することができる。上記利用時間表示部は，現時点での利用時間の合計も表示するとしても良い。
【００２４】
上記課題を解決するために，本発明の別の観点によれば，上記コンテンツ再生装置として機能するプログラム，そのプログラムを記憶した記憶媒体，および，コンテンツの再生を許諾するライセンスに基づいて，コンテンツを再生するコンテンツ再生方法も提供される。
【００２５】
また，上記コンテンツ再生装置における各構成要素を各々独立した装置で構成することも可能である。
【発明の効果】
【００２６】
以上説明したように本発明によれば，論理和や論理積をとる必要のある複雑なライセンスや複数のコンテンツのライセンス関係を，同時間軸で表されるタイムラインとして直感的かつ確実に把握することが可能となる。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
ユーザは，視聴を希望するコンテンツをダウンロードすると共に，そのコンテンツの提供を行うサービス事業者からライセンスを取得し，そのライセンスに基づいてこのコンテンツを視聴する。また，かかるコンテンツの再生時にコンテンツの再生可能期間，即ち，コンテンツの利用期限までの残り時間やその期限が消滅した後の経過時間を知ることができる。ここでライセンスとは，著作権保護されたコンテンツに対する権利表記が成された，メモリ上のデータ，またはファイルの形態で存在する許可証を言う。本実施形態では，少なくとも再生可能期間の記述があるライセンスを挙げている。
【００２９】
しかし，従来では，かかる再生可能期間を，その再生の開始点および終了点として文字列で表示するに留まり，ユーザは，直感的に再生可能期間を把握することが困難であった。また，そのような再生可能期間を単純に面積で表示することもできたが，複数のコンテンツの特定時点におけるライセンスの関係や複雑なライセンス関係にあるコンテンツの再生可能期間の表示はできなかった。
【００３０】
第１に，例えば，１つのコンテンツを再生しているときに同画面に再生可能期間を表示するだけでは，その他のコンテンツのライセンスとの関係を把握することができず，ある特定の時点で，どのコンテンツが有効なのか確認するのに時間を要した。
【００３１】
第２に，１つのコンテンツに複数のライセンスが付され，そのライセンス毎の再生可能期間が重複している場合，実質的に上記コンテンツを利用できるのは，そのライセンス毎の再生可能期間の論理和となる。しかし，ユーザは，その実質的な再生可能期間を視覚的に把握する手段が無く，複数のライセンスの全てを確認するといった煩わしい作業が必要であった。
【００３２】
図１は，複数のライセンスにおける各再生可能期間の論理和を計算する方法を説明した説明図である。ここでは，１つのコンテンツに複数のライセンス１０，２０，３０の３つが付されており，それぞれが独立してコンテンツの利用を定義している。ライセンス１０は，１／１〜１／１５の期間再生可能であり，ライセンス２０は，２／１０〜２／２８の期間再生可能であり，ライセンス３０は，１／１０〜２／１５の期間再生可能である。このとき，実質的な再生可能期間は，上記３つのライセンスの最大期間（１／１〜２／２８）となる。従来は，全ての権利期間の開始点と終了点がそのライセンス毎に文字列で表現され，その計算を手動で行わなければならなかった。
【００３３】
第３に，ホームネットワーク上のＤＴＣＰ機器間で著作権保護されたコンテンツを転送する場合，送信側機器(Ｓｏｕｒｃｅ)と受信側機器(Ｓｉｎｋ)との間で，一定時間（例えば６０秒）を超えて，重複したデータを存在させることができない。例えば，２時間のコンテンツを転送する場合，一般には，同期モード（Ｉｓｏｃｈｒｏｎｏｕｓ  ｍｏｄｅ）による転送が行われるため，その転送処理にはまるまる２時間を費やす事となる。その結果，送信側では転送が終了した部分のコンテンツを再生できず，受信側は転送が終了した部分のコンテンツのみ再生が可能となる。上記ＤＴＣＰでは，転送の時間経過に応じてコンテンツの量やライセンスの再生可能期間が変化する。
【００３４】
本来，そのような転送処理中であっても，送信側，受信側のそれぞれの機器において，未転送データまたは受信済みのデータに関してライセンスに基づく正当な権利を行使すべきである。上記の時間経過に応じたライセンスの変動，即ち，再生可能期間の変動を，従来のような文字列により表現すると，実際にコンテンツのどの部分に対して権利が有効であるか，直感的に把握することが難しい。
【００３５】
上記の課題を解決するため本実施形態は，以下の特徴を有する。第１に，複数のコンテンツを同時間軸で表示することによって，複数のコンテンツのライセンス関係を容易にとらえ，例えば，タイムライン上にアイコンを設けて，特定の時点におけるライセンスの関係を直感的に把握することが可能となる。第２に，複数ライセンス毎の再生可能期間の論理和や論理積をとることによって，ライセンス同士が複雑な条件で関係している場合においても，そのライセンス関係を直感的に把握することができる。第３に，ライセンスの許可範囲の変動に対応して再生可能期間の表示を更新させ，コンテンツの転送途中であっても，転送中のコンテンツの再生可能期間を視覚的に確認することができ，そのライセンスの変化に応じた操作を行うことができる。
【００３６】
従って，複雑なライセンスや複数のコンテンツのライセンス関係をタイムラインとして直感的かつ確実に把握することが可能となる。以下，本実施形態におけるコンテンツ再生装置を説明する。
【００３７】
（第１の実施形態：コンテンツ再生装置）
図２は，コンテンツ再生装置１００の概略的な構成を示したブロック図である。上記コンテンツ再生装置１００は，コンテンツ受信部１１０と，コンテンツ記憶部１１２と，再生スケジュール表示部１１４と，コンテンツ再生部１１６と，コンテンツ表示部１１８と，論理計算部１２０と，表示更新部１２２とを含んで構成される。
【００３８】
上記コンテンツ受信部１１０は，インターネット等の通信網１３０を介して，例えば，サービス事業者が有するサーバから，所望のコンテンツ１３２を受信する。このとき，受信するコンテンツが著作権保護されている場合，そのコンテンツを利用するためのライセンス１３４も併せて受信する。上記コンテンツは，動的な映像や音楽，静的な静止画やプログラム等を含む。
【００３９】
上記コンテンツ記憶部１１２は，少なくとも，コンテンツ受信部１１０が受信したコンテンツ１３２およびライセンス１３４を記憶する。かかるコンテンツ記憶部１１２は，ＨＤＤ，ＲＡＭ等のメモリ，磁気ディスク，光ディスク等の記憶媒体で構成される。上記のコンテンツ１３２の記憶は，ストリーミング等によりコンテンツの一部を一旦メモリに記憶する場合も含んでいる。
【００４０】
上記再生スケジュール表示部１１４は，コンテンツ記憶部１１２に記憶されたライセンス１３４に，コンテンツ１３２の再生可能期間が設けられている場合，所定期間，例えば，数ヶ月間を横軸にとって，コンテンツ１３２毎の再生可能期間がタイムラインで表される再生スケジュールを表示する。上記タイムラインは，時間軸を中心に，時間の経過方向と時間量（タイムラインの長さまたは面積）とで表され，基準となる時間は，開始時刻と終了時刻とで定まる絶対時間や再生時間の合計で定まる相対時間で表すことができる。このタイムラインは１次元とは限らず，他の変数を含めた複数の次元で表すことができる。
【００４１】
かかる構成により，コンテンツ毎の再生可能期間を所定期間中の時間量として直感的に把握することができる。また，複数のコンテンツを同時間軸で表示することによって，複数のコンテンツのライセンス関係を容易にとらえることが可能となる。さらに，上記再生スケジュールに再生可能期間以外の例えば，利用機器，チェックイン回数，チェックアウト回数等の他の条件を並置して表示するとしても良い。
【００４２】
また，再生スケジュール表示部１１４が表示する再生スケジュールのタイムライン上には，ユーザの操作に応じて移動自在なアイコンが設けられ，該アイコンが位置する時点におけるコンテンツの再生可否がアイコンの活性非活性によって判断可能である。このようにして，コンテンツが複数存在する場合に，特定の時点におけるライセンスの関係を直感的に把握することが可能となる。また，ユーザは，他のコンテンツの再生可能期間とを比較して，どのコンテンツから先に視聴すべきか等コンテンツの視聴順を計画することができる。
【００４３】
上記コンテンツ再生部１１６は，再生スケジュール表示部１１４でライセンスの再生可能期間を確認し，ユーザが特定のコンテンツ１３２を再生しようと試みた場合，ライセンス１３４で制限された再生可能期間内で，コンテンツ１３２を再生する。
【００４４】
上記コンテンツ表示部１１８は，例えば，ディスプレイ等の表示装置で表され，コンテンツ再生部１１６によって再生されたコンテンツ１３２や再生スケジュール表示部１１４により表示された再生スケジュールを表示する。
【００４５】
上記論理計算部１２０は，所望するコンテンツ１３２に複数のライセンス１３４が付されている場合，即ち，独立した各ライセンス１３４がそれぞれコンテンツ１３２の許容範囲を示し，かつ，そのライセンス１３４を重複して利用できる場合，このライセンス１３４毎の再生可能期間の論理和を計算して，該コンテンツ１３２の再生可能期間とする。
【００４６】
さらに，論理計算部１２０は，利用するコンテンツ１３２が複数のライセンス１３４を必要とする場合，即ち，コンテンツ１３２に対して，所定の複数のライセンスが全部揃わないと，かかるコンテンツ１３２を利用することができない場合，ライセンス１３４毎の再生可能期間の論理積を計算して，該コンテンツの再生可能期間とする。かかる構成により，複数のライセンスが重複するときにのみ再生可能なコンテンツに関する実質的な再生可能期間を視覚的に把握することができる。また，上記論理和と論理積の複合したライセンスの表示も可能となる。
【００４７】
上記表示更新部１２２は，上記ライセンスの許可範囲の変動に対応して再生可能期間の表示を更新させる。上述したように，ホームネットワーク上のＤＴＣＰ機器間で著作権保護されたコンテンツを転送する場合，送信側機器と受信側機器との間で，一定時間を超えるデータの重複が許されない。従って，送信側では転送が終了した部分のコンテンツを再生できず，受信側は転送が終了した部分のコンテンツのみ再生が可能となる。上記ＤＴＣＰでは，転送の時間経過に応じてコンテンツの量やライセンスの再生可能期間が変化する。かかる表示更新部１２２の構成により，ライセンスの特に再生可能期間の変動に対応したタイムラインの表示が可能となる。
【００４８】
また，コンピュータが上記コンテンツ再生装置１００の各構成要素として機能するプログラムや，そのプログラムを記憶した記憶媒体も提供される。
【００４９】
（第２の実施形態：コンテンツ再生方法）
また，コンテンツの再生を許諾するライセンスに基づいて，コンテンツを再生するコンテンツ再生方法も提供される。
【００５０】
図３は，コンテンツを再生する流れを示したフローチャートである。まず，コンテンツ再生装置１００は，再生スケジュールを表示する。その再生スケジュールは，コンテンツが複数存在する場合，そのコンテンツ毎にタイムラインを表示する。
【００５１】
上記コンテンツ毎にライセンスとの関係を検索し，１つのコンテンツに対して複数のライセンスが関係している場合（Ｓ２００），その複数のライセンスの再生可能期間を論理計算し，一つの再生可能期間として一列のライムラインに表す（Ｓ２０２）。
【００５２】
具体的には，再生スケジュールに表示されるコンテンツに対し，各々独立して再生可能期間が定義された複数のライセンスが付されている場合，ライセンス毎の再生可能期間の論理和を計算して，該コンテンツの再生可能期間とし，上記コンテンツが複数のライセンスを重ねて必要とする場合，ライセンス毎の再生可能期間の論理積を計算して，該コンテンツの再生可能期間とする。
【００５３】
このようにライセンスの統合が行われた後，所定期間におけるコンテンツ毎の再生可能期間がタイムラインで表される再生スケジュールを表示する（Ｓ２０４）。
【００５４】
当該コンテンツ再生装置が，ホームネットワーク上のＤＴＣＰ機器である場合，他の機器からのコンテンツの受信または他の機器へのコンテンツの送信に応じて，ライセンスの許可範囲が変化する。このようなライセンスの許可範囲が変動している場合（Ｓ２１０），このライセンスの変動に対応して再生可能期間の表示を更新させる（Ｓ２１２）。
【００５５】
ここで，ユーザが再生スケジュールのタイムライン上に設けられたアイコンを移動した場合（Ｓ２２０），移動されたアイコンの位置する時点におけるコンテンツの再生可否がアイコンの活性非活性によって表される（Ｓ２２２）。かかるアイコンは，複数のコンテンツに並列して設けることができ，同じ時点におけるコンテンツ再生の可否を比較することができる。
【００５６】
その後，コンテンツ再生装置１００は，ユーザによるコンテンツの再生要求を検知すると（Ｓ２３０），ライセンスの再生可能期間内でのみコンテンツを再生する（Ｓ２３２）。
【００５７】
上記コンテンツ再生方法によって，複雑なライセンスや複数のコンテンツのライセンス関係をタイムラインとして直感的かつ確実に把握することが可能となる。
【００５８】
（第３の実施形態：再生スケジュール）
本実施形態では，上記コンテンツ再生方法により表示される再生スケジュールに関して詳述する。
【００５９】
図４は，本実施形態における再生スケジュールを示した説明図である。ここでは，所定期間，２００５年の１月と２月における，３つのコンテンツ（ｍｏｖｉｅ０１，ｍｏｖｉｅ０２，ｍｏｖｉｅ０３）の再生可能期間がタイムラインで表される。
【００６０】
かかる図４では，ｍｏｖｉｅ０１のコンテンツが選択され，その背景が濃い色で表される（３１０）。また，選択されたｍｏｖｉｅ０１のタイムライン上にはそれぞれ「ｐｌａｙ」３２０と「ｓｔｒｅａｍｉｎｇ」３２２に対応して２つのアイコン３３０，３３２が表示される。かかるアイコン３３０，３３２は，ユーザのマウス等の入力に応じてタイムライン上を移動自在であり，画面上部には，アイコン３３０，３３２が位置した時点の日付（時刻でも良い）３４０が表示される。ｍｏｖｉｅ０１は，２／１〜２／１５の期間再生することが可能であり，ストリーミングは全期間において不可能なので，図４の１／１５時点におけるライセンスは，「ｐｌａｙ」３２０および「ｓｔｒｅａｍｉｎｇ」３２２で不可となり，アイコン３３０，３３２は，非活性となる。
【００６１】
図５は，本実施形態における再生スケジュールの他の例を示した説明図である。図４では，ｍｏｖｉｅ０１を選択したが，図５では，ｍｏｖｅｉｅ０３が選択されている。
【００６２】
ユーザは，マウス等の入力により，ｍｏｖｉｅ０３のコンテンツを選択し，その背景が濃い色で表される（３５０）。ｍｏｖｉｅ０３のタイムライン上にはそれぞれ「ｐｌａｙ」３６０と「ｓｔｒｅａｍｉｎｇ」３６２に対応して２つのアイコン３７０，３７２が表示されるが，そのアイコン３７０，３７２の横軸（時間軸）に対応した位置は動いていないので，画面上部には，アイコン３７０，３７２が位置した時点の日付３４０がそのまま表示される。
【００６３】
図５におけるｍｏｖｉｅ０３は，再生が少なくとも１／１〜１／３１の期間可能であり，ストリーミングも１／１〜１／３１可能である。従って，図５の１／１５時点におけるライセンスは，「ｐｌａｙ」３６０および「ｓｔｒｅａｍｉｎｇ」３６２で可能となり，アイコン３７０，３７２は，両方活性化される。よって，ユーザは，かかるｍｏｖｉｅ０３を，通常の再生およびストリーミング再生の両方で利用することができる。
【００６４】
図６は，本実施形態における再生スケジュールの他の例を示した説明図である。図５では，ｍｏｖｉｅ０３を選択したが，図６では，図４同様，ｍｏｖｅｉｅ０１が選択されている。
【００６５】
ユーザは，マウス等の入力により，ｍｏｖｉｅ０１のコンテンツを選択し，その背景が濃い色で表される（３１０）。ｍｏｖｉｅ０３のタイムライン上にはそれぞれ２つのアイコン３３０，３３２が表示される。そこで，ユーザのマウス等の入力に応じてアイコン３３０，３３２を移動する。アイコン３３０，３３２の移動に応じて，画面上部の日付３４０が「２００５／０２／０８」に変化する。
【００６６】
図６におけるｍｏｖｉｅ０１は，再生が２／１〜２／１５の期間可能なので，アイコン３３０は活性化され，ストリーミングは不可能なので，アイコン３３２は非活性となる。従って，ユーザは，かかるアイコン３３０の時点にｍｏｖｉｅ０１を再生することが可能であることを把握できる。
【００６７】
図７は，本実施形態における再生スケジュールの他の例を示した説明図である。図６では，ｍｏｖｉｅ０１のみを選択したが，図７では，ｍｏｖｅｉｅ０１からｍｏｖｅｉｅ０３までの全てのコンテンツが選択されている。
【００６８】
ユーザは，ｍｏｖｉｅ０１からｍｏｖｉｅ０３の全てのコンテンツを選択し，その背景が濃い色で表される（３８０）。ｍｏｖｉｅ０１からｍｏｖｉｅ０３の各タイムライン上にはそれぞれアイコン３３０，３３２，３９０，３９２，３７０，３７２が表示される。その各アイコンの横軸（時間軸）に対応した位置は動いていないので，画面上部には，アイコンが位置した時点の日付３４０がそのまま表示される。
【００６９】
このとき，ｍｏｖｉｅ０１，ｍｏｖｉｅ０２，ｍｏｖｉｅ０３の各コンテンツの再生可能期間は，通常の再生に関して，２／１〜２／１５，１／１〜１／３１，１／１〜１／３１であり，ストリーミング再生に関して，不可，不可，１／１〜１／３１であるから，「２００５／０２／０８」時点では，ｍｏｖｉｅ０１の再生のみが有効であり，アイコン３３０のみが活性化される。
【００７０】
このように，ユーザは，視聴可能なコンテンツと，特定の時点を選択することにより，コンテンツが利用できるようになるまでの期間や実際に利用できる期間を，瞬間的に読み取ることが可能となる。こうして，より快適な操作感を獲得することができる。
【００７１】
（第４の実施形態：再生スケジュール）
本実施形態では，上記コンテンツ再生方法により表示される再生スケジュールの他の実施形態を詳述する。
【００７２】
図８は，本実施形態における再生スケジュールを示した説明図である。本実施形態の再生可能期間は，上述の実施形態のような絶対時間によるものと相違し，再生時間の合計で定まる相対時間で定義される。従って，コンテンツの再生に応じて，再生可能期間（未再生期間）は減らされる。上記再生スケジュールに現時点での再生時間の合計も表示するとしても良い。
【００７３】
図８は，２時間の映像コンテンツを，通信網を介してダウンロードした場合のライセンスの表示を示している。かかるコンテンツは，再生４００，ストリーミング４０２，記憶媒体（ここでは特に光ディスク）への書き込み４０４の３つの処理によって利用されることを想定している。ダウンロードしたばかりのコンテンツは，コンテンツ開始から３０分間再生されるコマーシャルを無料で再生およびストリーミングできる。従って，図８の再生スケジュールでは，再生４００とストリーミング４０２のタイムラインのうち最初の３０分だけが再生可能期間４１０として表され，他の箇所は再生不可能期間として表される。上記再生可能期間４１０は，例えば緑色で表される。再生不可能期間は，ライセンスにより延長可能な再生可能期間であり，図８のように別態様，例えば赤色で表示される。
【００７４】
本実施形態において，上記の映像コンテンツは５００円支払ってライセンスを購入すると，コンテンツの最大時間，即ち２時間の再生およびストリーミングが可能となる。
【００７５】
図９は，本実施形態における再生スケジュールの他の例を示した説明図である。図８の再生スケジュール状態において，再生およびストリーミングを利用する権利を取得すると，再生スケジュールは，当該図９のようになる。
【００７６】
かかる図９では，再生４００とストリーミング４０２のタイムライン全てが再生可能期間４２０として表され，ユーザは，ｍｏｖｉｅ０１を完全に視聴することが可能となる。
【００７７】
本実施形態においては，さらに１，５００円支払ってライセンスを購入すると，記憶媒体の書き込み（焼き）が可能となる。
【００７８】
図１０は，本実施形態における再生スケジュールの他の例を示した説明図である。記憶媒体への書き込み４０４は，回数制限つきの書き込み可能状態に移行し（４３０），ここでは，光ディスクに１回のみ書き込みすることができる。また，実際に光ディスクの書き込みを実行すると，ライセンスのタイムラインが書き込み終わった部分から例えば赤といった表示に変化し，利用が不可になったことが明示される。
【００７９】
次に，コンテンツの途中にコマーシャルを含む場合を想定する。
【００８０】
図１１は，本実施形態における再生スケジュールの他の例を示した説明図である。かかる記憶媒体への書き込み４０４は，図１０同様１回限り許されるが，具体的には，コマーシャル領域４５０は，コピーフリー，即ち，無制限に書き込み可能であり，ドラマの本編等実際の映像領域４５２のみが書き込む制限の対象となる。
【００８１】
このとき，かかるコンテンツを書き込んでしまうと，ライセンスの全ての権利が消滅する。
【００８２】
図１２は，本実施形態における再生スケジュールの他の例を示した説明図である。ユーザは，１回限りの権利によって，かかる記憶媒体への書き込み４０４を行う。すると，コンテンツとしての権利は，そのディスクの再生に移行し，当該コンテンツ再生装置１００においてライセンスの全ての権利，ここでは，再生４００，ストリーミング４０２，記憶媒体への書き込み４０４に関する権利が削除され，図１２に示すように，利用できる範囲がコマーシャル領域４６０のみとなる。
【００８３】
（第５の実施形態：再生スケジュール）
上述したように，利用するコンテンツに複数のライセンスが付されている場合，上記ライセンス毎の再生可能期間の論理和を計算して，該コンテンツの再生可能期間とすることもできるし，利用するコンテンツが複数のライセンスを必要とする場合，上記ライセンス毎の再生可能期間の論理積を計算して，該コンテンツの再生可能期間とすることができる。
【００８４】
１つのコンテンツと複数のライセンスが複雑に関連している場合，そのライセンスの再生可能期間の重複部分を考慮して，１つのライセンスにおける再生可能期間であるかのように表示することができる。このとき，論理和と論理積とを複合したライセンスの表示も可能である。また，絶対時間と相対時間とが混合したライセンスの論理和や論理積を計算することもできる。
【００８５】
図１３は，上記のような複雑なライセンス関係を示した説明図である。ここでは，ｍｏｖｉｅ０１のコンテンツが２３：００〜０１：００の再生可能期間を有しており，コンテンツ記憶部に記憶されたライセンスとしてのｌｉｃｅｎｓｅ０１，０２を伴っている。
【００８６】
この場合，ｌｉｃｅｎｓｅ０１とｌｉｃｅｎｓｅ０２の再生可能期間の論理和と，さらにその結果とｍｏｖｉｅ０１の再生可能期間との論理積を計算することによって，最終的な再生可能期間が定まる。結果的には，図１３の上部に示したｍｏｖｉｅ０１の範囲と同一になり，再生スケジュールの画面上でも上記の論理計算の結果，１つの統合された再生可能期間としてｍｏｖｉｅ０１のみが表示される。
【００８７】
このように，ライセンス的には複数の権利範囲を跨いで適用しているが，画面上では連続した範囲として表示されるので，ユーザは，複数のライセンスの全てを確認する煩わしい作業を行うことなく，実質的な再生可能期間を視覚的に把握することができる。
【００８８】
（第６の実施形態：再生スケジュール）
上述したように，ホームネットワーク上のＤＴＣＰ機器間で著作権保護されたコンテンツを転送する場合，かかる機器間で，同一コンテンツの同時刻のデータが，一定時間を超えて重複することができない。従って，送信側では転送が終了した部分のコンテンツを再生できず，受信側は転送が終了した部分のコンテンツのみ再生が可能となる。かかる転送においては，コンテンツと共に，そのコンテンツに対応したライセンスも移動するので，移動中はライセンスの許可範囲も変化する。
【００８９】
本実施形態においては，コンテンツの転送途中であっても，転送中のコンテンツの再生可能期間を視覚的に確認することができ，そのライセンスの変化に応じた操作を行うことが可能となる。
【００９０】
図１４は，コンテンツ再生装置５００からコンテンツ再生装置５１０にコンテンツを転送する場合の再生スケジュールを示した説明図である。送信側のコンテンツ再生装置５００では，転送済みのコンテンツ５２０が再生不可能となる。この時点では，未転送のコンテンツ５２２はまだ利用可能である。
【００９１】
逆に，受信側のコンテンツ再生装置５１０では，転送が終了したコンテンツ５３０は利用可能となり，まだ，データが届いていないコンテンツ５３２は利用できない。
【００９２】
この利用可能な範囲は，時間の経過に応じて変化し，送信側のコンテンツ再生装置５００では，利用可能な範囲が狭くなり，逆に，受信側のコンテンツ再生装置５１０では，利用可能な範囲が広くなる。ここでは，単にコンテンツが移動しているのではなく，そのコンテンツのライセンスがそのコンテンツと対応して移動している点で，従来のダウンロードバーと相違する。従って，コンテンツの転送中においても，ライセンスタイムライン上の有効な区間であれば，その部分の再生を行うことが可能である。
【００９３】
このようにして，コンテンツの転送途中であっても，転送中のコンテンツの再生可能期間を視覚的に確認することができ，そのライセンスの変化に応じた操作を行うことが可能となる。
【００９４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９５】
例えば，上記実施形態において，再生スケジュールにおける最終的な表現の形態を視覚情報としたが，触覚など，他の感覚器官に伝達する形態を採用することもできる。具体的には，音響装置から出力される音の高低により，権利区間や有効点を伝達する方法が挙げられる。また，棒状の実在する物質をタイムラインの物的表現とし，ユーザの手等で表面を撫でる際の触感を変化させ，権利区間や有効点を伝達することも可能である。
【００９６】
また，上記実施形態では，最終的な視覚表現を，１次元の直線としたが，これを２次元以上の数理空間で表すことも可能である。具体的には，２次元目以上を，時間軸とは別の権利表現に割り当て，時間の変化に応じて，権利空間上に占める点で複雑な権利表現を行う等の方法が考えられる。
【００９７】
なお，本明細書のコンテンツ再生方法における各工程は，必ずしもフローチャートとして記載された順序に沿って時系列に処理する必要はなく，並列的あるいは個別に実行される処理（例えば，並列処理あるいはオブジェクトによる処理）も含むとしても良い。
【産業上の利用可能性】
【００９８】
本発明は，コンテンツの再生にかかり，特に，コンテンツの再生可能期間を視覚的に確認できるコンテンツ再生装置，コンテンツ再生方法，およびプログラムに適用可能である。
【図面の簡単な説明】
【００９９】
【図１】複数のライセンスにおける各再生可能期間の論理和を計算する方法を説明した説明図である。
【図２】コンテンツ再生装置の概略的な構成を示したブロック図である。
【図３】コンテンツを再生する流れを示したフローチャートである。
【図４】第３の実施形態における再生スケジュールを示した説明図である。
【図５】第３の実施形態における再生スケジュールの他の例を示した説明図である。
【図６】第３の実施形態における再生スケジュールの他の例を示した説明図である。
【図７】第３の実施形態における再生スケジュールの他の例を示した説明図である。
【図８】第４の実施形態における再生スケジュールを示した説明図である。
【図９】第４の実施形態における再生スケジュールの他の例を示した説明図である。
【図１０】第４の実施形態における再生スケジュールの他の例を示した説明図である。
【図１１】第４の実施形態における再生スケジュールの他の例を示した説明図である。
【図１２】第４の実施形態における再生スケジュールの他の例を示した説明図である。
【図１３】複雑なライセンス関係を示した説明図である。
【図１４】コンテンツ再生装置から他のコンテンツ再生装置にコンテンツを転送する場合の再生スケジュールを示した説明図である。
【符号の説明】
【０１００】
１００  コンテンツ再生装置
１１０  コンテンツ受信部
１１２  コンテンツ記憶部
１１４  再生スケジュール表示部
１１６  コンテンツ再生部
１１８  コンテンツ表示部
１２０  論理計算部
１２２  表示更新部
１３２  コンテンツ
１３４  ライセンス
【図１】
2006261904.tif 000003
【図２】
2006261904.tif 000004
【図３】
2006261904.tif 000005
【図４】
2006261904.tif 000006
【図５】
2006261904.tif 000007
【図６】
2006261904.tif 000008
【図７】
2006261904.tif 000009
【図８】
2006261904.tif 000010
【図９】
2006261904.tif 000011
【図１０】
2006261904.tif 000012
【図１１】
2006261904.tif 000013
【図１２】
2006261904.tif 000014
【図１３】
2006261904.tif 000015
【図１４】
2006261904.tif 000016